(57)【特許請求の範囲】
【請求項１】
それぞれ電話端末を接続できる複数の内線を収容し、少なくとも１つの外線を接続可能な電話交換装置において、
前記電話端末に、音声圧縮率を調節するための複数の操作キーを、通話のために使用する複数の操作キーと兼用して設け、
かつ前記複数の操作キーを示す情報と、音声圧縮率を示す情報とを対応付けたテーブルを格納する記憶手段と、
音声圧縮モード指定時に前記操作キーが押下され、かつ前記電話端末の発信を検出した場合に、この押下された操作キーに対応する音声圧縮率を示す情報を前記記憶手段から参照し、この参照結果に基づき発信元の電話端末に対し音声圧縮に関する制御を行う音声圧縮制御手段とを具備し、
前記音声圧縮制御手段は、前記電話端末の通話中を検出し、かつ音声圧縮モードの指定がなされた後で前記操作キーが押下された場合に、この押下された操作キーに対応する音声圧縮率を示す情報を前記記憶手段から参照し、この参照結果に基づき発信元の電話端末に対し音声圧縮に関する制御を行うことを特徴とする電話交換装置。
【請求項２】
それぞれ表示器付き電話端末を接続できる複数の内線を収容し、少なくとも１つの外線を接続可能な電話交換装置において、
前記電話端末に、音声圧縮率を調節するための複数の操作キーを、通話のために使用する複数の操作キーと兼用して設け、
かつ前記複数の操作キーを示す情報と、音声圧縮率を示す情報とを対応付けたテーブルを格納する記憶手段と、
音声圧縮モード指定時に前記操作キーが押下され、かつ前記電話端末の発信を検出した場合に、この押下された操作キーに対応する音声圧縮率を示す情報を前記記憶手段から参照し、この参照結果に基づき発信元の電話端末に対し音声圧縮に関する制御を行う音声圧縮制御手段と、
この音声圧縮制御手段による音声圧縮制御がなされた電話端末の表示器に、その制御された音声圧縮率を示す情報を表示する表示制御手段とを具備し
前記音声圧縮制御手段は、前記電話端末の通話中を検出し、かつ音声圧縮モードの指定がなされた後で前記操作キーが押下された場合に、この押下された操作キーに対応する音声圧縮率を示す情報を前記記憶手段から参照し、この参照結果に基づき発信元の電話端末に対し音声圧縮に関する制御を行うことを特徴とする電話交換装置。
【請求項３】
それぞれ電話端末を接続できる複数の内線を収容し、少なくとも１つの外線を接続可能な電話交換装置において、
前記電話端末に、音声圧縮率を調節するための複数の操作キーを、通話のために使用する複数の操作キーと兼用して設け、
かつ前記複数の操作キーを示す情報と、音声圧縮率を示す情報と単位時間当たりの課金情報とを対応付けたテーブルを格納する記憶手段と、
音声圧縮モード指定時に前記操作キーが押下され、かつ前記電話端末の発信を検出した場合に、この押下された操作キーに対応する音声圧縮率を示す情報及び課金情報を前記記憶手段から参照し、この参照結果に基づき発信元の電話端末に対し音声圧縮に関する制御及び課金処理に関する制御を行う制御手段とを具備し、
前記制御手段は、前記電話端末の通話中を検出し、かつ音声圧縮モードの指定がなされた後で前記操作キーが押下された場合に、この押下された操作キーに対応する音声圧縮率を示す情報及び課金情報を前記記憶手段から参照し、この参照結果に基づき発信元の電話端末に対し音声圧縮に関する制御及び課金処理に関する制御を行うことを特徴とする電話交換装置。
【請求項４】
それぞれ表示器付き電話端末を接続できる複数の内線を収容し、少なくとも１つの外線を接続可能な電話交換装置において、
前記電話端末に、音声圧縮率を調節するための複数の操作キーを、通話のために使用する複数の操作キーと兼用して設け、
かつ前記複数の操作キーを示す情報と、音声圧縮率を示す情報と単位時間当たりの課金情報とを対応付けたテーブルを格納する記憶手段と、
音声圧縮モード指定時に前記操作キーが押下され、かつ前記電話端末の発信を検出した場合に、この押下された操作キーに対応する音声圧縮率を示す情報及び課金情報を前記記憶手段から参照し、この参照結果に基づき発信元の電話端末に対し音声圧縮に関する制御及び課金処理に関する制御を行う制御手段と、
この制御手段による音声圧縮制御がなされ、かつ課金処理制御がなされた電話端末の表示器に、その制御された音声圧縮率を示す情報、及び課金情報を表示する表示制御手段とを具備し、
前記制御手段は、前記電話端末の通話中を検出し、かつ音声圧縮モードの指定がなされた後で前記操作キーが押下された場合に、この押下された操作キーに対応する音声圧縮率を示す情報及び課金情報を前記記憶手段から参照し、この参照結果に基づき発信元の電話端末に対し音声圧縮に関する制御及び課金処理に関する制御を行うことを特徴とする電話交換装置。
【発明の詳細な説明】
【０００１】
【発明の属する技術分野】
この発明は、例えば種々の音声圧縮率により音声通信を行う電話交換装置に関する。
【０００２】
【従来の技術】
従来よりオフィスビルや事業所では、電話交換装置が多く使用されている。この種の電話交換装置は、例えば電話機等を内線端末として収容し、この内線端末と公衆網等の外部通信網との間及び内線端末相互間を交換接続して通話を可能にしている。
【０００３】
一方、近年の電話交換装置では、高機能化のため、多種の音声圧縮レートの音声信号を取り扱えるようにしたものも考えられている。このような電話交換装置において、できるだけ高品質の通話がしたい場合には、低圧縮レートの音声信号を取り扱うようにし、できるだけ安価な通話がしたい場合には、高圧縮レートの音声信号取り扱うようにしている。
【０００４】
【発明が解決しようとする課題】
ところが、上記電話交換装置では、単一の音声圧縮レートにしか対応できない。このため、高品質の通話がしたい場合には、低圧縮レート専用の電話交換装置及び電話端末を別途用意しなければならず、また安価な通話がしたい場合には、高圧縮レート専用の電話交換装置及び電話端末を別途用意しなければならず、ユーザの経済的負担が大きくなる。
【０００５】
この発明の目的は、ユーザのニーズに応じた通話品質及び課金方式による電話サービスを実現できるようにした電話交換装置を提供することにある。
【０００６】
【課題を解決するための手段】
この発明に係る電話交換装置は、上記目的を達成するために、以下のように構成される。
（１）それぞれ電話端末を接続できる複数の内線を収容し、少なくとも１つの外線を接続可能な電話交換装置において、
電話端末に、音声圧縮率を調節するための複数の操作キーを、通話のために使用する複数の操作キーと兼用して設け、かつ複数の操作キーを示す情報と、音声圧縮率を示す情報とを対応付けたテーブルを格納する記憶手段と、音声圧縮モード指定時に操作キーが押下され、かつ電話端末の発信を検出した場合に、この押下された操作キーに対応する音声圧縮率を示す情報を記憶手段から参照し、この参照結果に基づき発信元の電話端末に対し音声圧縮に関する制御を行う音声圧縮制御手段とを備えるようにしたものである。
【０００７】
上記（１）の発明によれば、電話端末に備えられている複数の操作キーと音声圧縮率とを対応付けることにより、各操作キーが押下されるごとに通話を行う際の音声圧縮率を特定することができる。このため、例えば通話品質を最も高く設定したい場合には、最低の音声圧縮率に対応する操作キーを選択的に押下することで通話品質を最高にすることができ、通話料金を最も安くしたい場合には、最高の音声圧縮率に対応する操作キーを選択的に押下することで最低料金で利用でき、ユーザのニーズに応じた電話サービスを実現できる。
【０００８】
しかも、音声圧縮率調節用の操作キーをダイヤル用の操作キーと兼用するようにしているので、これら操作キーを別々に設ける場合に比べ、操作キーの数を減らすことができ、これにより部品点数の削減及びスペースの縮小を可能にして、電話端末の小型化とコストダウンを図ることができる。また、既存の電話端末も使用可能となる他、電話端末の追加や変更にも電話交換装置本体そのものの改修を行うことなく、容易に対応可能である。
【０００９】
（２）それぞれ電話端末を接続できる複数の内線を収容し、少なくとも１つの外線を接続可能な電話交換装置において、
複数の音声圧縮率を示す情報を格納する記憶手段と、電話端末の発信を検出した場合に、所定の条件に応じて記憶手段に格納された複数の音声圧縮率を示す情報の中から１つの音声圧縮率を示す情報を選択し、この選択した音声圧縮率に基づき発信元の電話端末に対し音声圧縮に関する制御を行う音声圧縮制御手段と備えるようにしたものである。
【００１０】
上記（２）の発明によれば、例えば日時や通信トラフィック等に応じて最適な音声圧縮率を選択設定して発信元の電話端末に対し音声圧縮に関する制御を行うことが可能となる。
【００１１】
（３）それぞれ電話端末を接続できる複数の内線を収容し、少なくとも１つの外線を接続可能な電話交換装置において、
電話端末に、音声圧縮率を調節するための複数の操作キーを、通話のために使用する複数の操作キーと兼用して設け、かつ複数の操作キーを示す情報と、音声圧縮率を示す情報と単位時間当たりの課金情報とを対応付けたテーブルを格納する記憶手段と、音声圧縮モード指定時に操作キーが押下され、かつ電話端末の発信を検出した場合に、この押下された操作キーに対応する音声圧縮率を示す情報及び課金情報を記憶手段から参照し、この参照結果に基づき発信元の電話端末に対し音声圧縮に関する制御及び課金処理に関する制御を行う制御手段とを備えるようにしたものである。
【００１２】
（４）それぞれ電話端末を接続できる複数の内線を収容し、少なくとも１つの外線を接続可能な電話交換装置において、
複数の音声圧縮率を示す情報と、単位時間当たりの課金情報とを対応付けたテーブルを格納する記憶手段と、電話端末の発信を検出した場合に、所定の条件に応じて記憶手段に格納された複数の音声圧縮率を示す情報の中から１つの音声圧縮率を示す情報を選択し、この選択した音声圧縮率及びその音声圧縮率に対応する課金情報に基づき発信元の電話端末に対し音声圧縮に関する制御及び課金処理に関する制御を行う制御手段とを備えるようにしたものである。
【００１３】
上記（３）または（４）の発明によれば、各内線ごとに選択された音声圧縮率に応じた課金処理を行うことが可能となる。
【００１４】
（５）また、上記（１）〜（４）の発明において、電話端末が表示器を有する場合に、制御された音声圧縮率を示す情報、及び課金情報を表示する表示制御手段を備えるようにしたものである。
【００１５】
上記（５）の発明によれば、通話を行った際に、ユーザは、電話端末の表示器に表示された情報を見ることにより、音声圧縮状況及び課金処理状況を把握することが可能となる。
【００１６】
【発明の実施の形態】
以下、この発明の実施形態について図面を参照して詳細に説明する。
【００１７】
（第１の実施形態）
図１は、この発明に係わるネットワーク（ＩＰ）電話システムの第１の実施形態を示す概略構成図である。
【００１８】
このＩＰ電話システムは、同図に示すように、主装置１に、複数（最大ｉ個）の内線端末２（２−１〜２−ｉ）を任意に接続して構成されている。
【００１９】
主装置１は、さらに、タイムスイッチ１１、ゲートウェイ１２、複数（ｉ個）の内線インタフェース回路１３（１３−１〜１３−ｉ）、制御部１４、記憶部１５及びデータハイウェイインタフェース部１７を備えており、タイムスイッチ１１、ゲートウェイ１２、内線インタフェース回路１３は、ＰＣＭハイウェイ１８を介して互いに接続されている。
【００２０】
また、ゲートウェイ１２、内線インタフェース回路１３及びデータハイウェイインタフェース部１７は、データハイウェイ１９を介して互いに接続されている。さらに、制御部１４、記憶部１５及びデータハイウェイインタフェース部１７は、ＣＰＵバス２０を介して互いに接続されている。なお、タイムスイッチ１１は、制御部１４に直接接続されている。
【００２１】
タイムスイッチ１１は、制御部１４の制御に基づいてＰＣＭハイウェイ１８上のタイムスロットの入れ替えを行なうことによって、ゲートウェイ１２及び内線インタフェース回路１３を任意に交換接続する。
【００２２】
ゲートウェイ１２には、ＬＡＮが必要に応じて接続される。ゲートウェイ１２は、接続されたＬＡＮに関するインタフェース動作を行なう。インタフェース動作とは、ＬＡＮを介して与えられる音声パケットのＰＣＭ信号への変換、タイムスイッチ１１を介して与えられるＰＣＭ信号の音声パケットへの変換、ＬＡＮの状態監視や、ＬＡＮを介して接続された網に対する種々の信号の送出などである。また、ゲートウェイ１２は、上記インタフェース動作に係わる種々の制御情報の授受を、データハイウェイ１９、データハイウェイインタフェース部１７及びＣＰＵバス２０を介して制御部１４との間で行なう。
【００２３】
内線インタフェース回路１３には、内線端末２が必要に応じて接続される。内線インタフェース回路１３は、接続された内線端末２に関する内線インタフェース動作を行なう。内線インタフェース動作は、内線端末２から出力されるＰＣＭ信号のＰＣＭハイウェイ１８からの抽出、内線端末２の状態監視や、内線端末２に対する種々の信号の送出などである。また、内線インタフェース回路１３は、上記内線インタフェース動作に係わる種々の制御情報の授受を、データハイウェイ１９、データハイウェイインタフェース部１７及びＣＰＵバス２０を介して制御部１４との間で行なう。
【００２４】
制御部１４は、記憶部１５に格納されている動作プログラムに基づいた処理を行なうことで、タイムスイッチ１１、ゲートウェイ１２及び内線インタフェース回路１３のそれぞれを総括制御し、主装置１としての動作を実現する。
【００２５】
記憶部１５は、制御部１４の動作プログラムや、その他の永続的に使用される各種のデータを記憶している。
【００２６】
データハイウェイインタフェース部１７は、データハイウェイ１９とＣＰＵバス２０との間でのデータの授受を行なう。
【００２７】
ところで、この実施形態の内線端末２には、図２に示すように、ＣＲＴあるいはＬＣＤ等を使用した表示器２１が配置され、さらに機能キー２２、ダイヤルキー２３及びハンドセット２４が備えられている。機能キー２２には、圧縮レート選択キーが含まれている。
【００２８】
また、この実施形態の制御部１４には、音声圧縮制御機能１４１と、表示制御機能１４２とが備えられる。さらに、記憶部１５には、音声圧縮レート記憶部１５１が備えられる。
【００２９】
音声圧縮レート記憶部１５１には、図３に示す如く、内線端末２に設けられたダイヤルキー２３のキー番号と音声圧縮レートとの対応関係を表すテーブルが格納されている。
【００３０】
音声圧縮制御機能１４１は、内線端末２に設けられた機能キー２２中の圧縮レート選択キーの押下を検出した時に、ダイヤルキー２３が押下され、かつ内線端末２の発信もしくは通話中を検出した場合に、この押下されたダイヤルキー２３の番号に対応する音声圧縮レートを音声圧縮レート記憶部１５１から参照し、この参照結果に基づき押下元の内線端末２に対し音声圧縮処理を実行する。
【００３１】
表示制御機能１４２は、上記音声圧縮制御機能１４１による音声圧縮制御がなされた内線端末２の表示器２１に、選択設定された音声圧縮レートを示す情報を表示する。
【００３２】
次に、以上のように構成されたシステムの動作について説明する。
（発信動作）
例えば内線端末２−１において機能キー２２中の圧縮レート選択キーが押下された後にダイヤルキー２３の「３」が押下されると、制御部１４は、どの内線で押下されたかを認識し、引き続き相手先の電話番号をダイヤルされた段階で、相手先に対し発信を行う。そして、相手が応答すると、制御部１４は、選択設定された音声圧縮レート「３」で音声圧縮処理を実行する。
【００３３】
（通話中の動作）
例えば内線端末２−１において、音声圧縮レート「３」により通話中の状態で、通話品質の低下（網遅延、揺らぎ等の発生）により通話品質を変更したい場合に、機能キー２２中の圧縮レート選択キーが押下された後にダイヤルキー２３の「２」が押下されると、制御部１４は、どの内線で押下されたかを認識し、選択設定された音声圧縮レート「２」に切り替えて音声圧縮処理を実行する。
【００３４】
（主装置１内の動作）
図４は、音声圧縮処理を行うための制御部１４による制御手順及び制御内容を示すフローチャートである。
【００３５】
例えば内線端末２−１において機能キー２２が押下されることで、制御部１４は図４に示すような制御処理を開始する。
【００３６】
この制御処理を開始すると、制御部１４は、圧縮レート選択キーが押下されたか否かの判断を行う（ステップＳＴ４ａ）。ここで、圧縮レート選択キー以外の機能キー２２が押下されたならば制御部１４は、音声圧縮処理を行うための処理を終了し選択された機能キー２２に応じた処理を実行する。
【００３７】
一方、圧縮レート選択キーが押下されたならば制御部１４は、以下の処理を行う。
「３」が押下されたならば制御部１４は、ステップＳＴ４ｂからステップＳＴ４ｃに移行して、圧縮レート「３」により音声圧縮処理を実行するとともに、その選択された圧縮レート「３」を押下元の内線端末２−１の表示器２１に表示する（ステップＳＴ４ｄ）。
【００３８】
「２」が押下されたならば制御部１４は、ステップＳＴ４ｅからステップＳＴ４ｆに移行して、圧縮レート「２」により音声圧縮処理を実行するとともに、その選択された圧縮レート「２」を押下元の内線端末２−１の表示器２１に表示する（ステップＳＴ４ｇ）。
【００３９】
「１」が押下されたならば制御部１４は、ステップＳＴ４ｈからステップＳＴ４ｉに移行して、圧縮レート「１」により音声圧縮処理を実行するとともに、その選択された圧縮レート「１」を押下元の内線端末２−１の表示器２１に表示する（ステップＳＴ４ｊ）。
【００４０】
「１」〜「３」以外のダイヤルキー２３が押下されたならば制御部１４は、圧縮レートの設定状態を現状維持したまま処理を終了する。
【００４１】
上記のような処理手順は、発信時や通話中において、同様の手順で実行される。
【００４２】
以上のように上記第１の実施形態では、主装置１において、内線端末２のダイヤルキー２３と音声圧縮レートとを対応付けて記憶した音声圧縮レート記憶部１５１と、音声圧縮制御機能１４１とを備えておくことにより、機能キー２２中の圧縮レート選択キーが押下された後で各ダイヤルキー２３が押下されるごとに通話を行う際の音声圧縮レートを特定して、その音声圧縮レートで音声圧縮制御機能１４１により音声圧縮処理を行うことができる。また、通話中に音声圧縮レートを変更する場合にも、容易に変更できる。このため、例えば内線端末２−１の話者が通話品質を最も高く設定したい場合には、音声圧縮レート「１」に対応するダイヤルキー２３を押下することで通話品質を最高にすることができ、通話料金を最も安くしたい場合には、音声圧縮レート「３」に対応するダイヤルキー２３を押下することで最低料金で利用でき、話者のニーズに応じた電話サービスを実現できる。
【００４３】
しかも、音声圧縮レート調節用の操作キーを内線端末２のダイヤルキー２３と兼用するようにしているので、これら操作キーを別々に設ける場合に比べ、操作キーの数を減らすことができ、これにより部品点数の削減及びスペースの縮小を可能にして、内線端末２の小型化とコストダウンを図ることができる。また、既存の内線端末２も使用可能となる他、内線端末２の追加や変更にも主装置１そのものの改修を行うことなく、容易に対応可能である。
【００４４】
また、主装置１に表示制御機能１４２を備えておくことで、通話を行った際に、押下元の内線端末２の表示器２１に選択された音声圧縮レートを示す情報が表示されることになり、このため、話者は、内線端末２の表示器２１に表示された情報を見ることにより、音声圧縮状況を把握することが可能となる。
【００４５】
（第２の実施形態）
図５は、この発明に係わるＩＰ電話システムの第２の実施形態を示す概略構成図である。なお、図５において、上記図１と同一部分には同一符号を付して詳細な説明を省略する。
【００４６】
この第２の実施形態の制御部１４には、音声圧縮・課金制御機能１４３が備えられる。さらに、記憶部１５には、音声圧縮対応課金レート記憶部１５２が備えられる。
【００４７】
音声圧縮対応課金レート記憶部１５２には、図６に示す如く、内線端末２に設けられたダイヤルキー２３のキー番号と音声圧縮レートと単位時間当たりの課金レートとの対応関係を表すテーブルが格納されている。
【００４８】
内線端末２に設けられた機能キー２２中の圧縮レート選択キーの押下を検出した時に、ダイヤルキー２３が押下され、かつ内線端末２の発信もしくは通話中を検出した場合に、この押下されたダイヤルキー２３の番号に対応する音声圧縮レート及び課金レートを音声圧縮対応課金レート記憶部１５２から参照し、この参照結果に基づき押下元の内線端末２に対し音声圧縮及び課金処理に関する制御を実行する。なお、これら制御結果は、表示制御機能１４２により、押下元の内線端末２の表示器２１に表示される。
【００４９】
次に、以上のように構成されたシステムの動作について説明する。
（発信動作）
例えば内線端末２−１において機能キー２２中の圧縮レート選択キーが押下された後にダイヤルキー２３の「３」が押下されると、制御部１４は、どの内線で押下されたかを認識し、引き続き相手先の電話番号をダイヤルされた段階で、相手先に対し発信を行う。そして、相手が応答すると、制御部１４は、選択設定された音声圧縮レート「３」で音声圧縮処理を実行するとともに、音声圧縮レート「３」による課金が開始される。
【００５０】
以後、通話が終了すると、制御部１４は、通話時間、音声圧縮レート「３」に応じた課金処理を内線端末２−１に対して行う。この課金情報は、押下元の内線端末２−１の表示器２１に表示される。
【００５１】
（通話中の動作）
例えば内線端末２−１において、音声圧縮レート「３」により通話中の状態で、通話品質の低下（網遅延、揺らぎ等の発生）により通話品質を変更したい場合に、機能キー２２中の圧縮レート選択キーが押下された後にダイヤルキー２３の「２」が押下されると、制御部１４は、どの内線で押下されたかを認識し、選択設定された音声圧縮レート「２」に切り替えて音声圧縮処理を実行するとともに、音声圧縮レート「３」による課金処理を終了し、音声圧縮レート「２」による課金処理を開始する。
【００５２】
以後、通話が終了すると、制御部１４は、通話時間、音声圧縮レート「３」、音声圧縮レート「２」に応じた課金処理を内線端末２−１に対して行う。
【００５３】
なお、上記各動作において、主装置１の制御部１４は、上記図４に示した処理手順と同様の手順の制御処理を実行する。
【００５４】
以上のように第２の実施形態では、主装置１において、内線端末２のダイヤルキー２３と音声圧縮レートと単位時間当たりの課金レートとを対応付けて記憶した音声圧縮対応課金レート記憶部１５２と、音声圧縮・課金制御機能１４３とを備えておくことにより、機能キー２２中の圧縮レート選択キーが押下された後で各ダイヤルキー２３が押下されるごとに通話を行う際の音声圧縮レート及び課金レートを特定して、その音声圧縮レート及び課金レートで音声圧縮・課金制御機能１４３により音声圧縮処理及び課金処理を行うことができる。また、通話中に音声圧縮レートを変更する場合にも、容易に変更できる。
【００５５】
このため、例えば複数の部署や個人が１つのシステムを共用する場合に、各内線ごとに選択された音声圧縮レートに応じた課金処理を行うことができ、これにより各部署又は個人ごとの通話料金等を明確化することができる。
【００５６】
（その他の実施形態）
なお、この発明は上記各実施形態に限定されるものではない。例えば、上記各実施形態では、内線端末２の話者が通話中または発信を行う際に、機能キー及びダイヤルキーを押下することにより音声圧縮レートを可変する例について説明した。
【００５７】
しかし、これに限定されるものではなく、内線端末２において、通話中または発信時に、日時や通信トラフィック等により音声圧縮レートを自動的に変更するように構成してもよい。
【００５８】
また、上記各実施形態では、表示器付きの内線端末を使用する例について説明したが、これに限ることなく、表示器を有していない内線端末であっても使用可能である。
【００５９】
さらに、上記各実施形態では、３段階の音声圧縮レートについて説明したが、それ以上の複数段階の音声圧縮レートを設定するようにしてもよい。このようにすれば、きめ細かく音声圧縮レートを選択設定することが可能となる。
【００６０】
さらに、上記各実施形態では、ゲートウェイを介してＬＡＮを接続した例について説明したが、ＬＡＮ以外のほかの網に接続するようにしてもよい。
【００６１】
その他、システム構成や、主装置の構成や種類、内線端末の種類、各制御の制御手順とその内容等についてもこの発明の要旨を逸脱しない範囲で種々変形して実施可能である。
【００６２】
【発明の効果】
以上詳述したようにこの発明によれば、ユーザのニーズに応じた通話品質及び課金方式による電話サービスを実現できるようにした電話交換装置を提供することができる。
【図面の簡単な説明】
【図１】この発明の第１の実施形態におけるネットワーク（ＩＰ）電話システムの構成を示すブロック図。
【図２】図１に示した内線端末の構成を示す平面図。
【図３】図１に示した音声圧縮レート記憶部の記憶内容の一例を示す図。
【図４】図１に示したシステムの制御部の動作手順とその内容を示すフローチャート。
【図５】この発明の第２の実施形態におけるネットワーク（ＩＰ）電話システムの構成を示すブロック図。
【図６】図５に示した音声圧縮対応課金レート記憶部の記憶内容の一例を示す図。
【符号の説明】
１…主装置、
２（２−１〜２−ｉ）…内線端末、
１１…タイムスイッチ、
１２…ゲートウェイ、
１３（１３−１〜１３−ｉ）…内線インタフェース回路、
１４…制御部、
１５…記憶部、
１７…データハイウェイインタフェース部、
１８…ＰＣＭハイウェイ、
１９…データハイウェイ、
２０…ＣＰＵバス、
１４１…音声圧縮制御機能、
１４２…表示制御機能、
１４３…音声圧縮・課金制御機能、
１５１…音声圧縮レート記憶部、
１５２…音声圧縮対応課金レート記憶部。
【図１】
0003842636.tif 000002
【図２】
0003842636.tif 000003
【図３】
0003842636.tif 000004
【図４】
0003842636.tif 000005
【図５】
0003842636.tif 000006
【図６】
0003842636.tif 000007